(57)【要約】【課題】新たにインターフェースを追加することなく、従来のものよりも強く高度な著作権保護が可能となるコンテンツデータ伝送システムを提案することを目的とする。【解決手段】オーディオデータ及び当該オーディオデータと対となるライセンスデータより構成される、コンテンツデータの属性を表す属性データをこのオーディオデータに重畳して送信し、また、このオーディオデータと対となるライセンスデータを、デジタルデータ出力部１ａを経由して外部に送信するコンテンツデータ送信装置１と、送信されたこのコンテンツデータをデジタルデータ入力部１１ａを経由して受信し、当該コンテンツデータに含まれるこの属性データの内容に応じて、このオーディオデータを使用するコンテンツデータ受信装置１１とより構成されることを特徴とする。【選択図】      図１
2004335024.tif 000002
【特許請求の範囲】
【請求項１】
オーディオデータ及び当該オーディオデータを使用するのに必要なライセンスデータを蓄積しているコンテンツデータ蓄積部と、
前記オーディオデータ及び当該オーディオデータと対となるライセンスデータより構成される、コンテンツデータの属性を表す属性データを前記オーディオデータに重畳して送信し、また、前記オーディオデータと対となるライセンスデータを送信するコンテンツデータ送信部と、
該コンテンツデータ送信部よりの前記属性データが重畳されたオーディオデータ及び前記ライセンスデータを外部に出力するコンテンツデータ出力部と
を備えることを特徴とするコンテンツデータ送信装置。
【請求項２】
請求項１記載のコンテンツデータ送信装置において、
前記コンテンツデータにコピーコントロール用データが付加されている
ことを特徴とするコンテンツデータ送信装置。
【請求項３】
請求項１記載のコンテンツデータ送信装置において、
前記属性データは、前記コンテンツデータが、コピーコントロール用データが付加されたオーディオデータ、ライセンスデータのみのデータ、オーディオデータのみのデータ、オーディオデータとライセンスデータとを含むデータ、のうちのいずれかよりなることを表す
ことを特徴とするコンテンツデータ送信装置。
【請求項４】
オーディオデータ及び当該オーディオデータの対となるライセンスデータより構成される、コンテンツデータの属性を表す属性データが重畳されたオーディオデータ、及び／またはライセンスデータが入力されるコンテンツデータ入力部と、
該コンテンツデータ入力部を介して、前記属性データが重畳されたオーディオデータ、及び／または前記ライセンスデータを受信するコンテンツデータ受信部と、
受信した前記コンテンツデータを前記オーディオデータと前記ライセンスデータとに分けるコンテンツデータ解析部と、
前記ライセンスデータの内容を解析するライセンスデータ解析部と、
解析された前記ライセンスデータの内容に従って前記オーディオデータを使用するオーディオデータ使用部と
を備えることを特徴とするコンテンツデータ受信装置。
【請求項５】
請求項４記載のコンテンツデータ受信装置において、
前記属性データが、前記コンテンツデータはコピーコントロール用データが付加されたコンテンツデータであることを表すときは、
前記オーディオデータ使用部は、前記従来方式の著作権保護処理に基づきオーディオデータを使用する
ことを特徴とするコンテンツデータ受信装置。
【請求項６】
請求項４記載のコンテンツデータ受信装置において、
前記属性データが、前記コンテンツデータはオーディオデータのみ、またはライセンスデータのみからなることを表すときは、
前記オーディオデータ使用部は、前記オーディオデータの対になるライセンスデータ、または前記ライセンスデータの対になるオーディオデータを受信した後に、各ライセンスデータの内容に従ってその対となるオーディオデータを使用する
ことを特徴とするコンテンツデータ受信装置。
【請求項７】
請求項４記載のコンテンツデータ受信装置において、
前記属性データが、前記コンテンツデータがオーディオデータ、及び対となるライセンスデータを含むことを表すときは、
前記オーディオデータ使用部は、前記ライセンスデータの内容に従って前記対となるオーディオデータを使用する
ことを特徴とするコンテンツデータ受信装置。
【請求項８】
オーディオデータ及び当該オーディオデータと対となるライセンスデータより構成される、コンテンツデータの属性を表す属性データを前記オーディオデータに重畳して送信し、また、前記オーディオデータと対となるライセンスデータを、デジタルデータ出力部を経由して外部に送信するコンテンツデータ送信装置と、
送信された前記コンテンツデータをデジタルデータ入力部を経由して受信し、当該コンテンツデータに含まれる前記属性データの内容に応じて、前記オーディオデータを使用するコンテンツデータ受信装置と
より構成されることを特徴とするコンテンツデータ伝送システム。
【請求項９】
請求項８記載のコンテンツデータ伝送システムにおいて、
前記コンテンツデータにコピーコントロール用データが付加されている
ことを特徴とするコンテンツデータ伝送システム。
【請求項１０】
請求項８記載のコンテンツデータ伝送システムにおいて、
前記コンテンツデータ送信装置として、オーディオデータ及び当該オーディオデータを使用するのに必要なライセンスデータを蓄積しているコンテンツデータ蓄積部と、
前記属性データを前記オーディオデータに重畳して送信し、また、前記オーディオデータと対となるライセンスデータを送信するコンテンツデータ送信部と、
該コンテンツデータ送信部よりの前記属性データが重畳されたオーディオデータおよび前記ライセンスデータを出力するコンテンツデータ出力部と
を備えることを特徴とするコンテンツデータ伝送システム。
【請求項１１】
請求項８記載のコンテンツデータ伝送システムにおいて、
前記コンテンツ受信装置として、前記属性データが重畳されたオーディオデータ、及び／または前記ライセンスデータが入力されるコンテンツデータ入力部と、
該コンテンツデータ入力部を介して前記属性データが重畳されたオーディオデータ、及び／または前記ライセンスデータを受信するコンテンツデータ受信部と、
受信した前記コンテンツデータを前記オーディオデータと前記ライセンスデータとに分けるコンテンツデータ解析部と、
前記ライセンスデータの内容を解析するライセンスデータ解析部と、
解析された前記ライセンスデータの内容に従って前記オーディオデータを使用するオーディオデータ使用部と
を備えることを特徴とするコンテンツデータ伝送システム。
【発明の詳細な説明】
【０００１】
【発明の属する技術分野】
本発明は、例えば、デジタルオーディオ信号入出力端子を経由して、著作権保護対象のデジタルオーディオデータの送受信を行うデジタルオーディオ機器等に適用して好適なコンテンツデータ送信装置、コンテンツデータ受信装置及びコンテンツデータ伝送システムに関する。
【０００２】
【従来の技術】
従来、デジタルのオーディオ信号を入出力するための機器間のインターフェース規格として、ＣＤ（Ｃｏｍｐａｃｔ  Ｄｉｓｃ）再生装置、ＭＤ（Ｍｉｎｉ  Ｄｉｓｃ）再生装置、ＤＡＴ（Ｄｉｇｉｔａｌ  Ａｕｄｉｏ  Ｔａｐｅ）などの民生用デジタルオーディオ機器等に広く採用されているＳ／ＰＤＩＦ（Ｓｏｎｙ  Ｐｈｉｌｉｐｓ  Ｄｉｇｉｔａｌ  Ｉｎｔｅｒｆａｃｅ）や、ＡＥＳ／ＥＢＵ（ｔｈｅ  Ａｕｄｉｏ  Ｅｎｇｉｎｅｅｒｉｎｇ  Ｓｏｃｉｅｔｙ／Ｅｕｒｏｐｅａｎ  Ｂｒｏａｄｃａｓｔｉｎｇ  Ｕｎｉｏｎ）などの規格がある。機器間の接続には同軸ケーブルか光ファイバーが用いられ、オーディオ信号をデジタルのまま送受信するので、機器間の転送に伴う音質の劣化が発生しない利点がある。
【０００３】
しかし、近年、上述デジタルのオーディオ信号からなるデジタルコンテンツについての違法な複製（コピー）による著作権侵害が問題となっている。そこで、この問題に対処するため、デジタルコンテンツに複製制御のための情報を付加し、この付加情報を用いて、違法な複製を防止することが考えられている。
【０００４】
この複製の防止のための制御方法の例としては、例えばＳＣＭＳ（Ｓｅｒｉａｌ  Ｃｏｐｙ  Ｍａｎａｇｉｍｅｎｔ  Ｓｙｓｔｅｍ）方式などが実用化されている。このＳＣＭＳ方式は、デジタルオーディオ信号とともに伝送するようにされるコピー禁止／許可フラグおよびカテゴリーコードからなるコピーコントロール信号により、１回だけのデジタルコピーができるようにするシリアルコピー制御方式であり、１世代目のデジタルオーディオ信号については、コピーできるが、コピーされたデジタルオーディオ信号をさらにコピーすることはできないというように、デジタルオーディオ信号の複製の世代制限制御を行うことができるようにされている（例えば、特許文献１参照。）。
【０００５】
【特許文献１】
特開２０００−３３９８５１号公報
【０００６】
【発明が解決しようとする課題】
しかしながら、ＳＣＭＳ方式では、単にコピーコントロールを行うだけであり、より高度な著作権保護を行うことが困難であるという問題あった。
【０００７】
一方、ＵＳＢ（Ｕｎｉｖｅｒｓａｌ  Ｓｅｒｉａｌ  Ｂｕｓ）やＩＥＥＥ１３９４などのインターフェースを使用することにより、ＳＣＭＳ方式よりも高度な著作権保護されたコンテンツ伝送を行う方式が存在する。しかし、これらの方式を採る場合、対応するデジタルオーディオ機器の開発には、新しいインターフェースのための開発コストと生産コストが必要となる。また、新しいインターフェースの追加はユーザの混乱を招き、使い方の学習や、専用ケーブルの容易が必要であるなど、使い勝手が悪い。さらに、之等のインターフェースは使用される機器が限定されるものであるために、一つの機器に従来の一般的なインターフェースと併せて搭載されることがあり、軽量化や製品のデザイン性にデメリットをもたらしているといった問題があった。
【０００８】
斯かる点に鑑み、本発明は、新たにインターフェースを追加することなく、従来のものよりも強く高度な著作権保護が可能となるコンテンツデータ送信装置、コンテンツデータ受信装置及びコンテンツデータ伝送システムを提案することを目的とする。
【０００９】
【課題を解決するための手段】
本発明のデジタルデータ送信装置は、オーディオデータ及び当該オーディオデータを使用するのに必要なライセンスデータを蓄積しているコンテンツデータ蓄積部と、オーディオデータ及び当該オーディオデータと対となるライセンスデータより構成される、コンテンツデータの属性を表す属性データをオーディオデータに重畳して送信し、また、オーディオデータと対となるライセンスデータを送信するコンテンツデータ送信部と、該コンテンツデータ送信部よりの属性データが重畳されたオーディオデータ及びライセンスデータを外部に出力するコンテンツデータ出力部とを備えるものである。
【００１０】
また、本発明のデジタルデータ受信装置は、オーディオデータ及び当該オーディオデータの対となるライセンスデータより構成される、コンテンツデータの属性を表す属性データが重畳されたオーディオデータ、及び／またはライセンスデータが入力されるコンテンツデータ入力部と、該コンテンツデータ入力部を介して、属性データが重畳されたオーディオデータ、及び／またはライセンスデータを受信するコンテンツデータ受信部と、受信したコンテンツデータをオーディオデータと前記ライセンスデータとに分けるコンテンツデータ解析部と、ライセンスデータの内容を解析するライセンスデータ解析部と、解析されたライセンスデータの内容に従ってオーディオデータを使用するオーディオデータ使用部とを備えるものである。
【００１１】
また、本発明のデジタルデータ伝送システムは、オーディオデータ及び当該オーディオデータと対となるライセンスデータより構成される、コンテンツデータの属性を表す属性データをオーディオデータに重畳して送信し、また、オーディオデータと対となるライセンスデータを、デジタルデータ出力部を経由して外部に送信するコンテンツデータ送信装置と、送信されたコンテンツデータをデジタルデータ入力部を経由して受信し、当該コンテンツデータに含まれる属性データの内容に応じて、オーディオデータを使用するコンテンツデータ受信装置とより構成するようにしたものである。
【００１２】
以上のような構成によれば、オーディオデータ、及びそのオーディオデータと対となるライセンスデータより構成されるコンテンツデータの属性を表す属性データを、そのオーディオデータに重畳して送信し、また、オーディオデータと対となるライセンスデータを送信し、このコンテンツデータを受信した受信装置において、コンテンツデータに含まれる属性データの内容に応じて、オーディオデータを使用するようにしたので、従来より存在するオーディオデータ入出力部を経由して、オーディオデータ及びこのオーディオデータを使用するのに必要なライセンスデータの送受信を行い、新たにインターフェースを追加することなく、従来からあるインターフェースを使用して、従来方式より強く高度な著作権保護を実現することができる。
【００１３】
【発明の実施の形態】
以下、図１〜図３を参照して、本発明のコンテンツデータ送信装置、コンテンツデータ受信装置及びコンテンツデータ伝送システムの一実施の形態の例として、デジタルのオーディオ信号（以下、オーディオデータとも称する。）を入出力するための機器間のインターフェース規格として、例えば、ＣＤ再生装置、ＭＤ再生装置、ＤＡＴなどの民生用デジタルオーディオ機器等に広く採用されている、Ｓ／ＰＤＩＦ端子を搭載したオーディオ機器間で、コンテンツデータを送受信する場合について説明する。
【００１４】
コンテンツデータを送受信する例としては、例えば、ＭＤ再生装置を使用してＭＤに記録されたオーディオデータを、Ｓ／ＰＤＩＦ端子経由で他機器に伝送する場合や、ＭＤ再生装置等のＳ／ＰＤＩＦ規格のヘッドホン端子にヘッドホンを接続して音楽を視聴する等、種々の場合が考えられる。
【００１５】
図１は、デジタルオーディオデータの入出力端子として、例えばＳ／ＰＤＩＦ端子を経由してオーディオデータの送受信を行うコンテンツデータ伝送システムを表しており、１はコンテンツデータ送信装置（以下、送信装置と称する。）、１１はコンテンツデータ受信装置（以下、受信装置と称する。）である。
【００１６】
送信装置１と受信装置１１は、それぞれオーディオデータ作成・供給装置及び再生装置を表し、それぞれＳ／ＰＤＩＦ端子よりなるコンテンツデータ出力部１ａ及びコンテンツデータ入力部１１ａ間が、Ｓ／ＰＤＩＦケーブル１０で接続されて、データ送受信可能に構成されている。
【００１７】
コンテンツデータ送信装置１は、コンテンツデータ蓄積部２、コンテンツデータ送信部３、ライセンスデータ付加処理部４及びコンテンツデータ出力部１ａより構成されている。コンテンツデータ蓄積部２は、オーディオデータ、及びそのオーディオデータの著作権を保護するためにオーディオデータを使用する際に必要となる使用許諾情報等を有するライセンスデータ、からなるコンテンツデータを蓄積している。
【００１８】
本例のオーディオデータは音楽再生する対象のデータであり、暗号化技術などによる著作権保護がなされている。また、ライセンスデータは、オーディオデータ等の暗号コンテンツデータを複合するために必要な情報や、コンテンツデータの使用に対して、例えば、再生期限や再生回数、自機から外部機器に何回送信したかを表すチェックアウト回数など、何らかの制限を示す情報を有する。なお、上述コンテンツデータ蓄積部３は、例えば、ＣＤ、ＭＤ、ＤＡＴ、ＤＶＤ（Ｄｉｇｉｔａｌ  Ｖｅｒｓａｔｉｌｅ  Ｄｉｓｃ）などの記録媒体、あるいはＨＤＤ（Ｈａｒｄ  Ｄｉｓｋ  Ｄｒｉｖｅ）などの記録装置等、種々のものが考えられる。
【００１９】
コンテンツデータ送信部３にて、コンテンツデータ蓄積部２に蓄積、保存されている、オーディオデータ及び／または、そのオーディオデータを使用するのに必要なライセンスデータをコンテンツデータ出力部１ａに出力する。コンテンツデータを他のコンテンツデータ使用装置に送信する必要があるコンテンツデータ使用装置は、コンテンツデータ送信部を持つものとする。
【００２０】
コンテンツデータ使用装置とは、Ｓ／ＰＤＩＦ等のオーディオデータを送受信するためのインターフェースを有し、後述するような、ライセンスデータ解析部とコンテンツデータ使用部の両方を持つ。そして、コンテンツデータ送信部か、コンテンツデータ受信部のどちらか一方を持つか、それら両方を持つものとする。
【００２１】
上述のオーディオデータ及び／または対となるライセンスデータをコンテンツデータ出力部１ａに出力する際、例えばマイクロプロセッサ等の制御装置からなるライセンスデータ付加処理部４において、操作手段を介した利用者からの指示等に基づき、オーディオデータ及び対となるライセンスデータが選択され、ライセンスデータの有無、及びオーディオデータ内の情報の有無、あるいはライセンスデータ否対応の従来方式のコピーコントロール用データが付加されたコンテンツデータか否かを表す、後述する属性データをそのオーディオデータに重畳するようにしている。
【００２２】
コンテンツデータ出力部１ａは、属性データが重畳されたオーディオデータ及び／またはライセンスデータからなるコンテンツデータを、Ｓ／ＰＤＩＦケーブルなどからなるデータ伝送手段１０を介して、受信装置１１に送信する。
【００２３】
受信装置１１は、コンテンツデータ入力部１１ａ、コンテンツデータ解析部１３、ライセンスデータ解析部１４及びオーディオデータ使用部１５より構成される。送信装置１から送信されたコンテンツデータは、コンテンツデータ入力部１１ａを経由して、コンテンツデータ受信部１２に入力される。
【００２４】
コンテンツデータ受信部１２に入力されたコンテンツデータはコンテンツデータ解析部１３において、ライセンスデータとオーディオデータとに区別されて、ライセンスデータはライセンスデータ解析部１４に、オーディオデータはオーディオデータ使用部１５に、それぞれ入力される。コンテンツデータを他のコンテンツデータ使用装置から受信する必要があるコンテンツデータ使用装置は、コンテンツデータ受信部を持つものとする。
【００２５】
ライセンスデータ解析部１４は、入力されたライセンスデータの内容を解析する機能を持つ。そして、解析した情報を、オーディオデータを使用するのに必要な情報として、オーディオデータ使用部１５に通知する。
【００２６】
オーディオデータ使用部１５は、ライセンスデータ解析部１４より入力される暗号化されたオーディオデータの復号、オーディオデータの再生など、オーディオデータを使用する機能を有する。オーディオデータ使用部１５は、オーディオデータを使用する機能を満たすものであれば、ソフトウェアまたはハードウェアのどちらで実現してもよい。
【００２７】
ここで、送信装置１から受信装置１１に送信されるコンテンツデータのデータフォーマットについて説明する。本例ではオーディオデータとそのオーディオデータを使用するのに必要なライセンスデータを、コンテンツデータとしてコンテンツデータ送信部３より、コンテンツデータ出力部１ａおよび伝送手段１０を介して受信装置に送信している。その際、ライセンスデータを伝送する方式として、以下の二つのパターンが考えられる。
・ライセンスデータとオーディオデータが同時に伝送される場合。
・ライセンスデータとオーディオデータが別々に伝送される場合。
【００２８】
したがって、伝送されるコンテンツデータが、ライセンスデータであるか、オーディオデータであるか、あるいは両者が同時に伝送されるのか、を送信側と受信側で識別できなければならない。本例では、これらのコンテンツデータの属性を示す情報を、オーディオデータに重畳して送信している。
【００２９】
本例のコンテンツデータ出力部１ａ及びコンテンツデータ入力部１１ａである、Ｓ／ＰＤＩＦ端子を経由して送受信可能なオーディオデータのデータフォーマットを図２に示す。従来のＳ／ＰＤＩＦ端子経由によるコンテンツデータ伝送においては、コンテンツデータ配信者において任意に使用目的を定められるチャンネルステータスビットのリザーブ領域を使用していなかったが、本例では、このリザーブ領域をデータの属性を表すビットとして使用している。
【００３０】
Ｓ／ＰＤＩＦ端子で送受信可能なオーディオデータは３１ビットで構成されており、０〜２９ビットまでがオーディオデータ２１であり、楽曲などのオーディオ情報が収納されている。従来のＳＣＭＳ方式によるコピーコントロール信号２１ａは、例えば、オーディオデータ２１の２ビット目のフラグの有無によってコピーコントロールを行う。本例においては、この従来方式のデータフォーマットも有効としている。
【００３１】
２２は、オーディオデータ及び／またはライセンスデータから構成されるコンテンツデータの属性を表すデータ領域であり、この例では、Ｓ／ＰＤＩＦ規格の送受信可能なデータのリザーブ領域を使用している。３０ビット目のビット２２ａ及び３１ビット目のビット２２ｂのフラグの有無によりコンテンツデータの属性を示す。
【００３２】
例えば、データフォーマットの３１，３２ビット目が、
００の場合、ライセンスデータ否対応コンテンツデータ
０１の場合、ライセンスデータのみ含む
１０の場合、オーディオデータのみ含む
１１の場合、ライセンスデータとオーディオデータの両方を含む
などとする。
【００３３】
伝送するコンテンツデータの属性を表すビット２２ａ及び２２ｂが、０１及び１０のようにライセンスデータとオーディオデータのどちらかのみを示している場合、別途対応するライセンスデータか、又はオーディオデータが送信側から受信側に伝送されるとする。この場合の順番は特に問わない。
【００３４】
また、本例では、コピーコントロール信号２１ａと、データの属性を表すビット２２ａ及び２２ｂのフラグが共存する、即ち、コンテンツデータ内に従来方式と本例の方式が混在するときは、従来方式のコピーコントロール情報を本例のライセンスデータが示す著作権に関する情報よりも優先度を低くする。
【００３５】
図３は、本例の説明に供するフローチャートである。この図３を参照して、本例のコンテンツ伝送システムの動作について説明する。
【００３６】
まず、送信装置１に設けられている図示しないユーザ・インターフェース（以下、ＵＩと称する。）を利用者が入力操作して、コンテンツデータ蓄積部２に保存されている、所望の楽曲を選択し、コンテンツデータとして受信装置１１に伝送する場合を考える。
【００３７】
受信装置１１は、伝送手段１０及びコンテンツデータ入力部１１ａを介し、コンテンツデータ受信装置１２にて、送信装置１より送信されたコンテンツデータを受信して、コンテンツデータ解析部１３に入力する（ステップＳ１）。
【００３８】
コンテンツデータ解析部１３では、まず、リザーブ領域１４ａ及び１４ｂに示されたコンテンツデータの送信内容を示す属性情報に関するフラグが、００であるか否かを調べる（ステップＳ２）。フラグが００で無い場合には、次いで、フラグが０１であるか否かを調べる（ステップＳ３）。
【００３９】
そして、フラグが００でも０１でもなかった場合には、フラグが１０であるか否かを調べる（ステップＳ４）。さらに、フラグが１０でもなかった場合、すなわち、フラグが１１であった場合には、送信装置１から受信装置１１に対し、ライセンスデータとオーディオデータとを含むデータが送信されており、コンテンツデータ解析部１３より、ライセンスデータ解析部１４及びオーディオデータ使用部１５にそれぞれのデータを入力する。
【００４０】
ライセンスデータ解析部１４は、入力されたライセンスデータを解析し、解析したライセンス情報を、オーディオデータ使用部１５に通知する（ステップＳ５）。
【００４１】
オーディオデータ使用部１５は、通知されたライセンスの内容に従い、オーディオデータの復号などの処理を行ったり、再生したりするなどコンテンツ処理（ステップＳ６）を行い、コンテンツデータ解析部１３より入力されたオーディオデータを使用できる。
【００４２】
ステップＳ３の処理において、リザーブ領域１４ａ及び１４ｂのフラグが０１である場合、送信装置１からはライセンスデータのみが送信されているので、コンテンツデータ解析部１３にて対になるオーディオデータが送信されてくるのを待つ（ステップＳ７）。そして、そのライセンスデータに対応するオーディオデータを受信し（ステップＳ８）、ライセンスデータと、対応するオーディオデータが揃ったら、ライセンスデータ解析部１４及びオーディオデータ使用部１５にそれぞれのデータを入力して、ステップＳ５に移行する。
【００４３】
ライセンスデータ解析部１４は、入力されたライセンスデータを解析し、解析したライセンス情報を、オーディオデータ使用部１５に通知する。そして、オーディオデータ使用部１５は、通知されたライセンスの内容に従い、オーディオデータの復号などの処理を行ったり、再生したりするなどコンテンツ処理を行い、コンテンツデータ解析部１３より入力されたオーディオデータを使用する。
【００４４】
また、ステップＳ４の処理において、リザーブ領域１４ａ及び１４ｂのフラグが００でも０１でもなく、１０であった場合、オーディオデータのみが送信されているので、上述同様ステップＳ７へと移行し、そのオーディオデータと対になるライセンスデータが送信されてくるのを待つ。そして、対応するライセンスデータを受信し、オーディオデータと、対応するライセンスデータが揃ったら、ライセンスデータ解析部１４及びオーディオデータ使用部１５にそれぞれのデータを入力して、ステップＳ５に移行する。
【００４５】
ライセンスデータ解析部１４は、入力されたライセンスデータを解析し、解析したライセンス情報を、オーディオデータ使用部１５に通知する。そして、オーディオデータ使用部１５は、通知されたライセンスの内容に従い、オーディオデータの復号などの処理を行ったり、再生したりするなどコンテンツ処理を行い、コンテンツデータ解析部１３より入力されたオーディオデータを使用できる。
【００４６】
これにより、送信装置１にて、伝送手段１０を通して、コンテンツデータ蓄積部２に保存されているコンテンツデータを受信装置１１に取り込んで、オーディオデータの再生や録音等を行おうとしても、対応するライセンスデータがなければ使用することができず、又は使用方法、使用回数等が制限され、オーディオデータの著作権の強い保護が可能になる。
【００４７】
そしてまた、ステップＳ２の処理において、このフラグが００である場合には、ライセンスデータ否対応の従来方式の著作権保護処理、つまりコピーコントロール信号が付加されたオーディオデータが受信装置１１に送信されたものと判断し、例えばこの従来方式がＳＣＭＳ方式であれば、ＳＣＭＳ解析処理を行う（ステップＳ９）。
【００４８】
そして、この場合、ライセンスデータがないので、ステップＳ６に移行して、オーディオデータ使用部１５にそのオーディオデータを入力し、オーディオデータの復号などの処理を行ったり、再生したりするなどコンテンツ処理を行い、オーディオデータを使用することができる。上述ＳＣＭＳ解析処理機能は、コンテンツデータ解析部１３ではなく、オーディオデータ使用部１５に持たせるようにしてもよい。
【００４９】
以上のような構成により、新たにインターフェースを追加することなく、従来から存在するインターフェース、例えばＳ／ＰＤＩＦ端子を使用して、ＳＣＭＳ方式等の従来方式より堅牢な著作権保護方式を導入することができる。
【００５０】
また、オーディオデータとこのオーディオデータを使用するのに必要なライセンスデータをコンテンツデータとしてまとめて伝送することができる。
【００５１】
また、インターフェースを開発、追加する必要がないため、開発及び生産コストを抑えることができる。
【００５２】
また、新たにインターフェースを追加する必要がないので、利用者の新しいインターフェースの使い方を学習する負担を軽減することができる。
【００５３】
また、新たにインターフェースを追加しないので、その専用ケーブルを準備する必要もなく、利用者の経済的な負担を軽減することができる。
【００５４】
また、新たにインターフェースを追加しないで著作権の保護が可能であるので、例えば、Ｓ／ＰＤＩＦ端子等、従来方式のインターフェースしか搭載していないデジタルオーディオ機器との互換性を容易に実現することができる。
【００５５】
また、インターフェースが増えないので、デザイン性を保ちやすく、かつ機器の重量増加を抑えることができる。
【００５６】
尚、本発明は、上述実施の形態の例に限らず、例えば、送信装置の機能と受信装置の機能をひとつの装置内に搭載するようにしてもよい。
【００５７】
また、本発明は上述した実施の形態の例に限られるものではなく、本発明の要旨を逸脱することなくその他種々の構成を取り得ることは勿論である。
【００５８】
【発明の効果】
斯かる本発明によれば、オーディオデータ、及びそのオーディオデータと対となるライセンスデータより構成されるコンテンツデータの属性を表す属性データを、そのオーディオデータに重畳して送信し、また、オーディオデータと対となるライセンスデータを送信し、このコンテンツデータを受信した受信装置において、コンテンツデータに含まれる属性データの内容に応じて、オーディオデータを使用するようにしたので、従来より存在するオーディオデータ入出力部を経由して、オーディオデータ及びこのオーディオデータを使用するのに必要なライセンスデータの送受信を行い、新たにインターフェースを追加することなく、従来からあるインターフェースを使用して、従来方式より強く高度な著作権保護を実現することができる。
【図面の簡単な説明】
【図１】本発明の一実施の形態の例のコンテンツデータ伝送システムを示す構成図である。
【図２】本発明の一実施の形態の例のデータフォーマットを示す線図である。
【図３】本発明の一実施の形態の例の説明に供するフローチャートである。
【符号の説明】
１…送信装置、１ａ…コンテンツデータ出力部、２…コンテンツデータ蓄積部、３…コンテンツデータ送信部、４…ライセンスデータ付加処理部、１０…伝送手段、１１…受信装置、１１ａ…コンテンツデータ入力部、１２…コンテンツデータ受信部、１３…コンテンツデータ解析部、１４…ライセンスデータ解析部、１５…オーディオデータ使用部、２１…オーディオデータ（オーディオ情報）、２１ａ…コピーコントロール信号、２２…データの属性を表す領域、２２ａ，２２ｂ…データの属性を表すビット
【図１】
2004335024.tif 000003
【図２】
2004335024.tif 000004
【図３】
2004335024.tif 000005